(57)【要約】【課題】悪天候から漁具を容易に保護することができる漁具の昇降装置及び漁具の昇降方法を提供すること。【解決手段】漁具の昇降装置６は、浮子を用いて設置される漁具を海面Ｓに対して昇降させる漁具の昇降装置６であって、漁具に固定されるウィンチ６１と、海底Ｂに沈設されるおもり６２と、おもり６２に接続されて、張力を作用させた状態でウィンチ６１に巻き回しされるロープ６３と、を備える。漁具は定置網１であり、ウィンチ６１は、定置網１の海面Ｓ側上端部に固定されることが好ましい。【選択図】図１
2018076133.tif 000002
【特許請求の範囲】
【請求項１】
浮子を用いて設置される漁具を海面に対して昇降させる漁具の昇降装置であって、
漁具に固定されるウィンチと、
海底に沈設されるおもりと、
前記おもりに接続されて、張力を作用させた状態で前記ウィンチに巻き回しされるロープと、
を備える漁具の昇降装置。
【請求項２】
前記漁具は定置網であり、
前記ウィンチは、定置網の海面側上端部に固定される請求項１に記載の漁具の昇降装置。
【請求項３】
漁具に沿って所定の間隔を開けて漁具に固定される複数の前記ウィンチと、
前記複数のウィンチに電源と動作を制御する制御信号とを提供可能な制御装置と、
隣接する前記ウィンチの間と、前記複数のウィンチ及び前記制御装置の間とに設けられ、前記制御装置を起点及び終点として、起点及び終点の間で前記複数のウィンチを隣接する順に接続するように、前記制御装置と前記複数のウィンチのそれぞれとを電気的に接続する複数の電源通信ケーブルと、
を更に備える請求項１又は２に記載の漁具の昇降装置。
【請求項４】
前記制御装置は、起点側に接続される前記電源通信ケーブルと終点側に接続される前記電源通信ケーブルとのそれぞれに、個別に電源を提供可能である請求項３に記載の漁具の昇降装置。
【請求項５】
前記ロープにおける前記おもりから所定長さ離れた位置に配置され、前記ウィンチの巻取を停止するストッパを更に備える請求項１〜４のいずれかに記載の漁具の昇降装置。
【請求項６】
浮子を用いて設置される漁具を海面に対して昇降させる漁具の昇降方法であって、
漁具にウィンチを固定するウィンチ固定工程と、
おもりを海底に沈設するおもり沈設工程と、
前記おもりに接続されたロープを、張力を作用させた状態で前記ウィンチに巻き回しするロープ設置工程と、
前記ウィンチを回転させることにより、前記ロープの引き出し長さを変更するロープ引出長変更工程と、
を備える漁具の昇降方法。
【請求項７】
前記前記ウィンチ固定工程において、前記ウィンチは、漁具の浮子の近傍に固定される請求項６に記載の漁具の昇降方法。
【請求項８】
前記漁具は定置網であり、
前記ウィンチ固定工程において、前記ウィンチは、定置網の海面側上端に固定される請求項６又は７に記載の漁具の昇降方法。
【請求項９】
前記前記ロープ引出長変更工程において、複数の前記ウィンチの少なくとも２つが同時に動作される請求項８に記載の漁具の昇降方法。
【請求項１０】
前記おもり沈設工程の後に、複数の前記ウィンチを順に複数の電源通信ケーブルを用いて電気的に接続する電源通信ケーブル接続工程を更に備え、
前記ウィンチ固定工程において、前記複数のウィンチは、漁具に沿って所定の間隔を開けて漁具に固定される請求項６〜９のいずれかに記載の漁具の昇降方法。
【請求項１１】
前記ロープ設置工程の前、且つ、前記電源通信ケーブル接続工程の後に、複数の前記ウィンチに電源と動作を制御する制御信号とを提供可能な制御装置を、前記制御装置を起点及び終点として、前記複数のウィンチに前記電源通信ケーブルを用いて接続する制御装置接続工程を更に備える請求項１０に記載の漁具の昇降方法。
【請求項１２】
海面に対する前記ウィンチの深度を設定する深度設定工程を更に備え、前記ロープ引出長変更工程において、前記制御装置は、前記ウィンチの深度が前記深度設定工程で設定された深度になるように、前記ウィンチを回転させる制御信号を前記ウィンチに送信する請求項１１に記載の漁具の昇降方法。
【請求項１３】
前記ウィンチの動作方向及び動作時間を設定する動作時間設定工程を更に備え、前記ロープ引出長変更工程において、前記制御装置は、前記ウィンチの動作方向及び動作時間に基づいて、前記ウィンチを回転させる制御信号を前記ウィンチに送信する請求項１１に記載の漁具の昇降方法。
【請求項１４】
前記ロープ引出長変更工程において、前記制御装置は、前記ウィンチに動作を開始させる制御信号を送信し、前記ウィンチは、前記おもりから所定長さ離れた位置で前記ロープ上に設けられ、前記ウィンチの巻取を停止するストッパの位置まで回転する請求項１１に記載の漁具の昇降方法。
【発明の詳細な説明】
【技術分野】
【０００１】
本発明は、浮子を用いて設置される漁具を海面に対して昇降させる漁具の昇降装置及び漁具の昇降方法に関する。
【背景技術】
【０００２】
従来、魚を捕獲する漁法の一種として定置網漁法が知られている。この定置網漁法においては、沿岸部等の漁場に定置網を敷設し、魚群の来遊・入網を待って魚を捕獲するようになっている。
【０００３】
このような定置網として、垣網によって魚を運動場まで誘導し、最終的に当該運動場から箱網に魚を誘導して捕獲する定置網が提案されている（例えば、特許文献１参照）。
【先行技術文献】
【特許文献】
【０００４】
【特許文献１】特開平０７−２０３８０７号公報
【発明の概要】
【発明が解決しようとする課題】
【０００５】
提案された定置網は、魚群の来遊・入網を待って魚を捕獲するため、海に長期間設置された状態にされる。例えば、定置網の漁具は、１年間を通じて、１度の撤去期間以外の間は、海に設置され続ける。そのため、低気圧や台風の接近（悪天候）により漁具が高波等を受け、漁具の流出等の被害が発生することがあり、その被害額は莫大なものになっていた。また、定置網に限らず、養殖施設を含む漁具についても、海に設置され続けることから同様の被害が発生することがあった。
【０００６】
そこで、低気圧や台風の接近（悪天候）の前に、予め漁具を海から撤去することにより、漁具の流出等の被害を防止している。しかしながら、一旦漁具の撤去を開始すると、再設置まで操業できない期間があることと、漁具の撤去及び再設置に多大な人的労力が必要となることとから、無視できない被害額が発生していた。そこで、悪天候から漁具を容易に保護することができる装置や方法が切望されている。
【０００７】
本発明は、悪天候から漁具を容易に保護することができる漁具の昇降装置及び漁具の昇降方法を提供することを目的とする。
【課題を解決するための手段】
【０００８】
本発明は、浮子を用いて設置される漁具を海面に対して昇降させる漁具の昇降装置であって、漁具に固定されるウィンチと、海底に沈設されるおもりと、前記おもりに接続されて、張力を作用させた状態で前記ウィンチに巻き回しされるロープと、を備える漁具の昇降装置に関する。
【０００９】
また、前記漁具は定置網であり、前記ウィンチは、定置網の海面側上端部に固定されるのが好ましい。
【００１０】
また、漁具の昇降装置は、漁具に沿って所定の間隔を開けて漁具に固定される複数の前記ウィンチと、前記複数のウィンチに電源と動作を制御する制御信号とを提供可能な制御装置と、隣接する前記ウィンチの間と、前記複数のウィンチ及び前記制御装置の間とに設けられ、前記制御装置を起点及び終点として、起点及び終点の間で前記複数のウィンチを隣接する順に接続するように、前記制御装置と前記複数のウィンチのそれぞれとを電気的に接続する複数の電源通信ケーブルと、を更に備えるのが好ましい。
【００１１】
また、前記制御装置は、起点側に接続される前記電源通信ケーブルと終点側に接続される前記電源通信ケーブルとのそれぞれに、個別に電源を提供可能であるのが好ましい。
【００１２】
また、漁具の昇降装置は、前記ロープにおける前記おもりから所定長さ離れた位置に配置され、前記ウィンチの巻取を停止するストッパを更に備えるのが好ましい。
【００１３】
また、本発明は、浮子を用いて設置される漁具を海面に対して昇降させる漁具の昇降方法であって、漁具にウィンチを固定するウィンチ固定工程と、おもりを海底に沈設するおもり沈設工程と、前記おもりに接続されたロープを、張力を作用させた状態で前記ウィンチに巻き回しするロープ設置工程と、前記ウィンチを回転させることにより、前記ロープの引き出し長さを変更するロープ引出長変更工程と、を備える漁具の昇降方法に関する。
【００１４】
また、前記ウィンチ固定工程において、前記ウィンチは、漁具の浮子の近傍に固定されるのが好ましい。
【００１５】
また、前記漁具は定置網であり、前記ウィンチ固定工程において、前記ウィンチは、定置網の海面側上端に固定されるのが好ましい。
【００１６】
また、前記ロープ引出長変更工程において、複数の前記ウィンチの少なくとも２つが同時に動作されるのが好ましい。
【００１７】
また、漁具の昇降方法は、前記おもり沈設工程の後に、複数の前記ウィンチを順に複数の電源通信ケーブルを用いて電気的に接続する電源通信ケーブル接続工程を更に備え、前記ウィンチ固定工程において、前記複数のウィンチは、漁具に沿って所定の間隔を開けて漁具に固定されるのが好ましい。
【００１８】
また、漁具の昇降方法は、前記ロープ設置工程の前、且つ、前記電源通信ケーブル接続工程の後に、複数の前記ウィンチに電源と動作を制御する制御信号とを提供可能な制御装置を、前記制御装置を起点及び終点として、前記複数のウィンチに前記電源通信ケーブルを用いて接続する制御装置接続工程を更に備えるのが好ましい。
【００１９】
また、漁具の昇降方法は、海面に対する前記ウィンチの深度を設定する深度設定工程を更に備え、前記ロープ引出長変更工程において、前記制御装置は、前記ウィンチの深度が前記深度設定工程で設定された深度になるように、前記ウィンチを回転させる制御信号を前記ウィンチに送信するのが好ましい。
【００２０】
また、漁具の昇降方法は、前記ウィンチの動作方向及び動作時間を設定する動作時間設定工程を更に備え、前記ロープ引出長変更工程において、前記制御装置は、前記ウィンチの動作方向及び動作時間に基づいて、前記ウィンチを回転させる制御信号を前記ウィンチに送信するのが好ましい。
【００２１】
また、前記ロープ引出長変更工程において、前記制御装置は、前記ウィンチに動作を開始させる制御信号を送信し、前記ウィンチは、前記おもりから所定長さ離れた位置で前記ロープ上に設けられ、前記ウィンチの巻取を停止するストッパの位置まで回転するのが好ましい。
【発明の効果】
【００２２】
本発明によれば、悪天候から漁具を容易に保護することができる。
【図面の簡単な説明】
【００２３】
【図１】本発明の第１実施形態に係る漁具の昇降装置を定置網に取り付けた状態を示す平面図である。
【図２】第１実施形態の漁具の昇降装置を定置網に取り付けた状態を示す斜視図である。
【図３】第１実施形態の漁具の昇降装置と係留ロープとの関係を示す模式図である。
【図４】第１実施形態の漁具の昇降装置を示す側面図である。
【図５】第１実施形態の漁具の昇降装置の一部を沈下させた状態を示す側面図である。
【図６】第１実施形態の漁具の昇降装置により定置網を沈下させた状態を示す側面図である。
【図７】第１実施形態の漁具の昇降方法を示すフローチャートである。
【図８】本発明の第２実施形態に係る漁具の昇降装置を養殖施設に取り付けた状態を示す側面図である。
【図９】第２実施形態の漁具の昇降装置により養殖施設を沈下させた状態を示す側面図である。
【発明を実施するための形態】
【００２４】
[第１実施形態]
以下、本発明に係る漁具の昇降装置及び漁具の昇降方法の第１実施形態について、図１〜図７を参照して説明する。本実施形態における漁具の昇降装置及び漁具の昇降方法は、定置網１を昇降させるものである。
初めに、図１及び図２を用いて、定置網１の構成について説明する。
【００２５】
定置網１は、図１及び図２に示すように、運動場２と、垣網３と、箱網４と、を備える。
運動場２は、海面から海底に向けて伸ばした網によって、所定の海域を囲うように形成される。具体的には、運動場２は、海面に沿って略直線状に配置した網の直線方向両端部のそれぞれが、かぎ状（Ｕ字状）に折り返すように順次屈曲して配置されることにより形成される。また、運動場２は、折り返した網の両端縁が所定の間隔を開けて配置されることにより形成される。そして、運動場２は、かぎ状（Ｕ字状）部分（折り返し部分）の一方において、屈曲位置の間にある網面に開口が形成され、開口から離れるにしたがって（先端側が）縮径する筒状の昇り５が開口に連結されている。
【００２６】
垣網３は、海面から海底に向けて伸ばした網を直線状に配置することによって形成される。垣網３は、所定の間隔を開けて配置されている、運動場２の網の両端縁の間から外海に延びるように配置される。
【００２７】
箱網４は、有底の網によって平面視略矩形形状に形成され、昇り５の先端側が内部に達するように配置されることにより形成される。
【００２８】
以上のような定置網１によれば、垣網３は、網に沿って、外海から運動場２に魚を導くために設けられる。そして、運動場２は、折り返した網に沿って移動する魚を昇り５に導くために設けられる。箱網４は、昇り５から移動してきた魚を捕獲するために設けられる。定置網１は、図示しない適宜な綱類、浮子、アンカ等により漁場の所望の位置に敷設されるようになっている
【００２９】
次に、図１〜図３を用いて、漁具の昇降装置６について説明する。
【００３０】
漁具の昇降装置６は、浮子を用いて設置される上記のような定置網１を海面Ｓに対して昇降させる装置である。漁具の昇降装置６は、低気圧又は台風の接近（悪天候）の前に、予め、海面Ｓに対して定置網１の位置を海底Ｂ側に沈下させることにより、漁具への被害を軽減する。また、漁具の昇降装置６は、低気圧又は台風の通過（悪天候の回復）の後、海面Ｓに対して沈下されている定置網１の位置を浮上（上昇）させることにより、短い期間且つ少ない労力で、漁を再開できるようにする。
【００３１】
漁具の昇降装置６は、予め漁場に設置されている定置網１に固定されることにより設置される。或いは、漁具の昇降装置６は、漁場に設置する前の定置網１に固定されて、定置網１の設置とともに設置される。本実施形態では、漁具の昇降装置６は、１つの定置網１毎に１つ設置される。また、本実施形態において、漁具の昇降装置６は、定置網１の箱網４の部分に設置される。
【００３２】
漁具の昇降装置６は、図１及び図２に示すように、ウィンチ６１と、おもり６２と、ロープ６３と、制御装置６５と、電源通信ケーブル６４と、を備える。
ウィンチ６１は、定置網１に固定されることにより、水中に配置される。ウィンチ６１は、プーリ（図示せず）と、プーリを回転させる電動モータ（図示せず）と、深度計（図示せず）と、をもち、現在の深度に基づいて外部から与えられた制御信号に応じて電動モータ（図示せず）を回転させることが可能な装置である。本実施形態において、ウィンチ６１は、図３に示すように、定置網１の海面Ｓ側の上端部の近傍に固定される。より具体的には、ウィンチ６１は、箱網４の海面Ｓ側（上部開口側）の上端部の近傍に設けられ箱網４のロープに固定される。また、本実施形態において、ウィンチ６１は、箱網４の海面Ｓ側（上部開口側）上端に所定の間隔を開けて６つ（複数）固定される。特に、複数のウィンチ６１，６１，・・・のそれぞれは、箱網４の外周に沿って配置される複数の浮子６９，６９，・・・の近傍に固定される。
【００３３】
おもり６２は、海底Ｂに沈設される。本実施形態において、おもり６２は、６つのウィンチ６１に対して、それぞれに設けられる。
【００３４】
ロープ６３は、おもり６２に接続されて、張力を作用させた状態でウィンチ６１に巻き回しされる。具体的には、ロープ６３は、一端がおもり６２に接続されて、張力を作用させた状態で他端側がウィンチ６１のプーリ（図示せず）に巻き回しされる。ロープ６３には、一端（おもり６２）から所定長さ離れた位置にストッパ６７が固定され、それ以上、ウィンチ６１に巻き取られないようになっている。つまり、ロープ６３には、おもり６２から所定長さ離れた位置に、ウィンチ６１の巻取を停止するストッパ６７が配置されている。
【００３５】
本実施形態において、ロープ６３は、金属線を撚ることにより形成されるワイヤロープや、繊維や樹脂を撚ることにより形成される繊維ロープである。また、本実施形態において、このようなロープ６３は、ウィンチ６１及びおもり６２毎に設けられ、すなわち、６本設けられる。また、本実施形態において、ロープ６３は、箱網４を沈下させる荷重に耐えられる強度で設計されており、ストッパ６７及びおもり６２の間には、よりとりとしてスイベル（図示せず）が設けられる。
【００３６】
また、ロープ６３は、図３に示すように、箱網４の係留ロープよりも箱網４に近い位置に設置される。すなわち、ロープ６３は、海面Ｓに対する係留ロープの傾斜角度よりも、海面Ｓに対して大きな傾斜角度で設置される。
【００３７】
制御装置６５は、例えば、船舶６６に搭載されて、複数のウィンチ６１，６１，・・・に電源と動作を制御する制御信号とを提供可能になっている。このような制御装置６５は、２つの電源をもち、それぞれの電源から複数のウィンチ６１，６１，・・・に電力を供給可能になっている。また、制御装置６５は、２つの電源とともに、それぞれのウィンチ６１に制御信号を提供可能になっている。
【００３８】
複数の電源通信ケーブル６４のそれぞれは、隣接するウィンチ６１の間と、ウィンチ６１及び制御装置６５の間に設けられる。複数の電源通信ケーブル６４のそれぞれは、制御装置６５を起点及び終点として、起点及び終点の間で複数のウィンチ６１，６１，・・・を隣接する順に接続するように、制御装置６５と複数のウィンチ６１，６１，・・・とを電気的に接続する。そして、電源通信ケーブル６４は、制御装置６５に接続される位置に、制御装置６５に接続可能な接続端子６８をもつ。したがって、複数の電源通信ケーブル６４は、箱網４の上端に沿って、箱網４を囲うように配置される。このような複数の電源通信ケーブル６４のそれぞれは、それぞれのウィンチ６１に対して、電源を供給することが可能であるとともに、ウィンチ６１の電動モータ（図示せず）を回転させる制御信号を送信可能になっている。
【００３９】
特に、複数の電源通信ケーブル６４のうち、制御装置６５に接続される接続端子６８をもつ２つの電源通信ケーブル６４のそれぞれは、制御装置６５から個別に電源及び制御信号の提供を受けることが可能になっている。つまり、複数の電源通信ケーブル６４は、起点側及び終点側のそれぞれから個別に電源を供給することが可能になっている。
【００４０】
以上のような漁具の昇降装置６によれば、ウィンチ６１が定置網１（箱網４）に固定され、おもり６２が海底Ｂに沈設される。これにより、定置網１（箱網４）は、海面Ｓから上端部までの距離が、ウィンチ６１から引き出されているロープ６３の引き出し長に依存して設置される。図４に示すように、通常時（天候が良い時）には、ウィンチ６１からロープ６３が引き出されて、定置網１（箱網４）は、上端が海面Ｓの近傍に位置するように調整される。一方で、悪天候が予想される場合には、図５のように、ウィンチ６１が動作することにより、ロープ６３の引き出し長が短くされて、定置網１（箱網４）の上端が海面Ｓから沈下する。全てのウィンチ６１が動作することにより、図６に示すように、定置網１（箱網４）の全体が海面Ｓから沈下する。
【００４１】
以上のような漁具の昇降装置６は、以下のように動作する。
まず、図４に示すように、電源通信ケーブル６４が制御装置６５に接続されることにより、ウィンチ６１を制御することが可能になる。制御装置６５は、それぞれのウィンチ６１について、動作後の深度が入力される。また、制御装置６５は、電源通信ケーブル６４を介して、それぞれのウィンチ６１に対して電源を供給するとともに、それぞれのウィンチ６１から現在の深度を取得する。これにより、制御装置６５は、動作後の深度と現在の深度とから、それぞれのウィンチ６１の動作量（プーリの回転量）及び動作方向（プーリの回転方向）を算出する。
【００４２】
制御装置６５は、算出されたウィンチ６１の動作量及び動作方向を制御信号として６つのウィンチ６１に送信する。制御装置６５は、起点側に接続される電源通信ケーブル６４と終点側に接続される電源通信ケーブル６４とのそれぞれに、個別に電源及び制御信号を提供する。ウィンチ６１のそれぞれは、制御信号に応じてプーリを回転させることにより、ロープ６３の引き出し長を変更する。例えば、図５に示すように、制御装置６５は、ロープ６３を巻き取る制御信号をそれぞれのウィンチ６１に送信することにより、ウィンチ６１のそれぞれがロープ６３を巻き取る方向に回転を開始する。これにより、ウィンチ６１から引き出されているロープ６３の引き出し長が短くなり、ウィンチ６１及びおもり６２の間の距離が短くなるので、ウィンチ６１に固定されている定置網１（箱網４）は、海底Ｂ側に沈下させられる。
【００４３】
逆に、制御装置６５が、ロープ６３を引き出す制御信号をそれぞれのウィンチ６１に送信することにより、ウィンチ６１のそれぞれがロープ６３を引き出す方向に回転を開始する。これにより、ウィンチ６１から引き出されるロープ６３の引き出し長が長くなり、ウィンチ６１及びおもり６２の間の距離が長くなるので、ウィンチ６１に固定されている定置網１（箱網４）は、浮子の浮力により海面Ｓ側に浮上（上昇）する。
【００４４】
ウィンチ６１は、制御信号に含まれる動作量だけ動作した後に、プーリの回転を停止する。これにより、ウィンチ６１は、制御信号により設定された深度まで沈下又は浮上した後に、ロープ６３の引き出し長さをそのまま維持する。したがって、漁具の昇降装置６は、定置網１（箱網４）の深度を、動作した後の深度に維持することができる。
【００４５】
そして、図６に示すように、全てのウィンチ６１が動作した後、制御装置６５が電源通信ケーブル６４から取り外される。以上のように、漁具の昇降装置６は、定置網１（箱網４）の深度を変更することにより、悪天候時の波から定置網１（箱網４）を保護することができる。また、漁具の昇降装置６は、沈下している定置網１（箱網４）を容易に浮上させることができる。
【００４６】
次に、本実施形態に係る漁具の昇降方法を図７のフローチャートを用いて説明する。
漁具の昇降方法は、ウィンチ固定工程と、おもり沈設工程と、電源通信ケーブル接続工程と、制御装置接続工程と、ロープ設置工程と、深度設定工程と、ロープ引出長変更工程と、制御装置切離工程と、を備える。
【００４７】
ウィンチ固定工程において、ウィンチ６１が、定置網１に固定される（ステップＳ１）。具体的には、ウィンチ固定工程において、複数のウィンチ６１，６１，・・・が、定置網１（箱網４）の外周に沿って所定の間隔を開けて定置網１（箱網４）に固定される。また、ウィンチ固定工程において、ウィンチ６１は、定置網１（箱網４）の浮子６９の近傍に固定される。そして、ウィンチ固定工程において、ウィンチ６１は、定置網１（箱網４）の海面Ｓ側上端に固定される。
【００４８】
おもり沈設工程において、おもり６２が、海底Ｂに沈設される（ステップＳ２）。具体的には、おもり沈設工程において、おもり６２は、定置網１（箱網４）の係留ロープ４１の海底Ｂの係留位置（図示せず）よりも定置網１（箱網４）に近い位置に沈設される。
【００４９】
電源通信ケーブル接続工程において、複数のウィンチ６１，６１，・・・が、順に、電源通信ケーブル６４を用いて電気的に接続される（ステップＳ３）。これにより、電源通信ケーブル接続工程において、複数のウィンチ６１，６１，・・・が、電源通信ケーブル６４によって、線状に接続される。
【００５０】
制御装置接続工程において、複数のウィンチ６１，６１，・・・に電源と動作を制御する制御信号とを提供可能な制御装置６５が、制御装置６５を起点及び終点として、複数のウィンチ６１，６１，・・・に電源通信ケーブル６４を用いて接続される（ステップＳ４）。これにより、制御装置接続工程において、制御装置６５は、複数のウィンチ６１，６１，・・・に電源及び制御信号を提供可能になる。
【００５１】
ロープ設置工程において、ロープ６３は、一端が予めおもり６２に接続され、張力を作用させた状態でウィンチ６１に巻き回しされる（ステップＳ５）。これにより、ロープ設置工程において、ロープ６３は、係留ロープ４１の海面Ｓに対する傾斜角度よりも、海面Ｓに対して大きな傾斜角度で設置される。
【００５２】
深度設定工程において、制御装置６５は、電源通信ケーブル６４を介して、それぞれのウィンチ６１から現在の深度を取得する。また、深度設定工程において、制御装置６５は、海面Ｓに対するウィンチ６１の深度が設定される（ステップＳ６）。
【００５３】
ロープ引出長変更工程において、制御装置６５は、起点側に接続される電源通信ケーブル６４と終点側に接続される電源通信ケーブル６４とのそれぞれに、電源と複数のウィンチ６１，６１，・・・の動作を制御する制御信号とを個別に提供する（ステップＳ７）。ロープ引出長変更工程において、制御装置６５は、ウィンチ６１の深度が深度設定工程で設定された深度になるように、ウィンチ６１を回転させる制御信号をそれぞれのウィンチ６１に送信する。
【００５４】
ロープ引出長変更工程において、ウィンチ６１が制御信号に基づいて回転することにより、ロープ６３の引き出し長が変更される（ステップＳ８）。具体的には、ロープ引出長変更工程において、ウィンチ６１は、現在の深度に対して、設定された深度が深い場合に、ロープ６３を巻き取る方向に回転する（ステップＳ９）。これにより、ロープ引出長変更工程において、ウィンチ６１は、ロープ６３を巻き取ることにより、おもり６２までの距離を縮めて、海面Ｓに対して沈下する。ウィンチ６１が定置網１（箱網４）に固定されているので、ウィンチ６１の沈下に伴って、定置網１（箱網４）は、海面Ｓに対して沈下することができる。
【００５５】
そして、ロープ引出長変更工程において、ウィンチ６１は、設定された深度になるまで動作した後、動作を停止する。これにより、ロープ引出長変更工程において、制御装置６５は、海面Ｓに対してウィンチ６１を沈下した状態（設定された深度）に維持させることができ、定置網１（箱網４）を海面Ｓに対して沈下した状態（設定された深度）に維持することができる。
【００５６】
一方で、ロープ引出長変更工程において、ウィンチ６１は、現在の深度に対して、設定された深度が浅い場合に、ロープ６３を引き出す方向に回転する（ステップＳ１０）。これにより、ロープ引出長変更工程において、ウィンチ６１は、ロープ６３を引き出すことにより、おもり６２までの距離を伸ばして、海面Ｓに対して浮上（上昇）する。ウィンチ６１が定置網１（箱網４）に固定されているので、ウィンチ６１の浮上（上昇）に伴って、定置網１（箱網４）は、海面Ｓに対して浮上（上昇）することができる。
【００５７】
そして、ロープ引出長変更工程において、ウィンチ６１は、設定された深度になるまで動作した後、動作を停止する。これにより、ロープ引出長変更工程において、制御装置６５は、海面Ｓに対してウィンチ６１を浮上（上昇）した状態（設定された深度）に維持することができ、定置網１（箱網４）を海面Ｓに対して浮上（上昇）した状態（設定された深度）に維持することができる。
【００５８】
本実施形態において、ロープ引出長変更工程は、６つの全てのウィンチ６１に対して、制御信号の送信及び動作を実施することにより、定置網１（箱網４）全体を海面Ｓから沈下させる（ステップＳ１１）。
制御装置切離工程は、電源通信ケーブル６４の両端を制御装置６５から切り離す（ステップＳ１２）。
【００５９】
以上説明した第１実施形態の漁具の昇降装置６によれば、以下のような効果を奏する。
（１）漁具の昇降装置６を、定置網１である漁具に固定されるウィンチ６１と、海底Ｂに沈設されるおもり６２と、おもり６２に接続されて張力を作用させた状態でウィンチ６１に巻き回しされるロープ６３と、を含んで構成した。ウィンチ６１を回転させることにより、ロープ６３の引出し長が変更されるので、おもり６２及び定置網１の間の距離を変化させることができる。具体的には、悪天候となる前に、ウィンチ６１を回転させてロープ６３を巻き取ることにより、おもり６２及び定置網１の距離を短くすることで、海面Ｓに対して定置網１を沈下させることができる。一方、悪天候の後、ウィンチ６１を回転させてロープ６３を引き出すことにより、おもり６２及び定置網１の距離を長くすることで、海面Ｓに向けて定置網１を浮上させることができる。ウィンチ６１を回転させるだけで、海面Ｓの状況に応じて定置網１を沈下又は浮上させることができるので、悪天候から定置網１を容易に保護することができる。
【００６０】
（２）漁具を定置網１とし、ウィンチ６１を定置網１の海面Ｓ側上端部に固定した。これにより、海底Ｂに近い側にウィンチ６１を取り付ける場合に比べ、付着生物の除去や、部品交換等のメンテナンスを容易にすることができる。また、また、既に海に設置されている定置網１に対して、容易に設置することができる。
【００６１】
（３）漁具の昇降装置６を更に、漁具に沿って所定の間隔を開けて漁具に固定される複数のウィンチ６１，６１，・・・と、複数のウィンチ６１，６１，・・・に電源と動作を制御する制御信号とを提供可能な制御装置６５と、隣接するウィンチ６１の間と、複数のウィンチ６１及び制御装置６５の間とに設けられ、制御装置６５を起点及び終点として、起点及び終点の間で複数のウィンチ６１，６１，・・・を隣接する順に接続するように、制御装置６５と複数のウィンチ６１，６１，・・・のそれぞれとを電気的に接続する複数の電源通信ケーブル６４，６４，・・・と、を含んで構成した。これにより、制御装置６５を動作するウィンチ６１毎に接続する必要がないので、ウィンチ６１の制御をより容易にすることができる。
【００６２】
（４）制御装置６５を、起点側に接続される電源通信ケーブル６４と終点側に接続される電源通信ケーブル６４とのそれぞれに、個別に電源を提供可能なように構成した。これにより、電源通信ケーブル６４が寸断されたとしても、いずれかの電源から電源と、回転を制御する制御信号をウィンチ６１に提供することができる。これにより、信頼性を向上させることができる。
【００６３】
（５）漁具の昇降装置６を、ロープ６３におけるおもり６２から所定長さ離れた位置に配置されウィンチ６１の巻取を停止するストッパ６７を含んで構成した。これにより、ウィンチ６１を動作させて、ロープ６３をストッパ６７の位置まで巻き取ることにより、定置網１を海面に対して沈下させることができ、悪天候から定置網１を容易に保護することができる。
【００６４】
また、以上説明した第１実施形態の漁具の昇降方法によれば、以下のような効果を奏する。
【００６５】
（６）浮子を用いて設置される漁具を定置網１とし、海面に対して昇降させる漁具の昇降方法を、定置網１にウィンチ６１を固定するウィンチ固定工程と、おもり６２を海底に沈設するおもり沈設工程と、おもり６２に接続されたロープ６３を、張力を作用させた状態でウィンチ６１に巻き回しするロープ設置工程と、ウィンチ６１を回転させることにより、ロープ６３の引き出し長さを変更するロープ引出長変更工程と、を含んで構成した。これにより、新設する定置網１に対しても、既に設置されている定置網１に対してもウィンチ６１を固定することができる。また、ウィンチ６１を回転させることにより、ロープ６３の引き出し長さを変更して定置網１を浮上又は沈下させることができるので、悪天候から定置網１を容易に保護することができる。
【００６６】
（７）ウィンチ固定工程において、定置網１の浮子６９の近傍にウィンチ６１を固定するようにした。これにより、ウィンチ６１の重さによる定置網１の撓みを防止することができ、定置網１から魚が逃げることを防止できる。
【００６７】
（８）ウィンチ固定工程において、定置網１の海面Ｓ側上端にウィンチ６１を固定するようにした。これにより、海底Ｂに近い側にウィンチ６１を取り付ける場合に比べ、付着生物の除去や、部品交換等のメンテナンスを容易にすることができる。また、既に海に設置されている定置網１に対して、容易に設置することができる。
【００６８】
（９）漁具の昇降方法を、複数のウィンチ６１，６１，・・・に電源及び制御信号を提供可能な制御装置６５を、電源通信ケーブル６４を用いて接続する制御装置接続工程を含んで構成した。これにより、ウィンチ６１毎に制御装置６５を接続する必要がないので、ウィンチの制御をより容易にすることができる。
【００６９】
（１０）漁具の昇降方法を、複数の前記ウィンチ６１，６１，・・・を順に電源通信ケーブル６４を用いて電気的に接続する電源通信ケーブル接続工程を含んで構成した。そして、ウィンチ固定工程において、複数のウィンチ６１，６１，・・・を漁具に沿って所定の間隔を開けて漁具に固定するようにした。これにより、複数のウィンチ６１，６１，・・・のそれぞれが、順に電源通信ケーブル６４を用いて接続された状態で定置網１に固定されるので、固定されているウィンチ６１に後から電源通信ケーブル６４を接続する必要がない。したがって、ウィンチ６１を動作させる準備の時間を短縮することができる。
【００７０】
（１１）漁具の昇降方法を、海面に対するウィンチ６１の深度を設定する深度設定工程を含んで構成した。そして、ウィンチ６１の深度が深度設定工程で設定された深度になるように、ウィンチ６１を回転させる制御信号をウィンチに送信するようにした。これにより、制御信号に応じてウィンチ６１を回転させることにより、ロープ６３の引き出し長を変更することができる。ロープ６３の引き出し長が変化することにより、ウィンチ６１の深度が設定深度になる。これにより、ウィンチ６１が固定されている定置網１も設定深度に位置するようになる。ウィンチ６１を回転させるだけで、海面の状況に応じて定置網１を沈下又は浮上させることができるので、悪天候から定置網１を容易に保護することができる。
【００７１】
[第２実施形態]
次に、本発明に係る漁具の昇降装置及び漁具の昇降方法の第２実施形態について図８及び図９を参照しながら説明する。第２実施形態の説明にあたって、同一構成要件については同一符号を付し、その説明を省略もしくは簡略化する。
本実施形態の漁具の昇降装置６及び漁具の昇降方法は、ほたてや牡蠣、海藻等を養殖する養殖施設１１である漁具を昇降する点で第１実施形態と異なる。
【００７２】
初めに、図８及び図９を用いて、養殖施設１１の構成について説明する。
養殖施設１１は、垂下用ロープ１２と、アンカ１３と、調整玉１４と、牽引ロープ１６と、底玉１７と、飼育用具１８と、を備える。
垂下用ロープ１２は、両端が海底Ｂに固定され、中間部分Ｍが海面Ｓ側に持ち上げられることにより、海底Ｂに対して凸状に配置される。そして、垂下用ロープ１２は、持ち上げられた中間部分Ｍが、海面Ｓに対して略水平になるように配置される。
【００７３】
アンカ１３は、垂下用ロープ１２の両端にそれぞれ取り付けられる。アンカ１３は、かぎ状に形成され、垂下用ロープ１２を海底Ｂに固定する。
【００７４】
調整玉１４は、浮子であり、海面Ｓに浮かべて複数設置される。また、調整玉１４は、垂下用ロープ１２に沿って配置される。本実施形態では、調整玉１４は、２つ設置される。
【００７５】
牽引ロープ１６は、調整玉１４の位置にそれぞれ設けられる。牽引ロープ１６は、一端が調整玉１４に接続され、他端が牽引ロープ１６の中間部分Ｍに接続される。そして、牽引ロープ１６は、海面Ｓから海底Ｂまでの深さに対して、十分に短い長さで形成される。本実施形態では、牽引ロープ１６は、調整玉１４の数に合わせて２つ設けられ、垂下用ロープ１２の中間部分Ｍの両端にそれぞれ接続される。
底玉１７は、浮子であり、垂下用ロープ１２の中間部分Ｍに所定の間隔を開けて１つ以上設置される。
【００７６】
飼育用具１８は、ほたてや牡蠣、海藻等の養殖対象を保持する設備であり、稚貝を飼育する丸かごや、耳吊用のロープ等の漁具である。即ち、飼育用具１８は、縦長に形成される漁具であり、一端が垂下用ロープ１２に取り付けられ、他端側が海底Ｂに向けて垂下される。
【００７７】
以上のような養殖施設１１によれば、垂下用ロープ１２は、両端に取り付けられたアンカ１３によって海底Ｂに固定される。そして、垂下用ロープ１２は、中間部分Ｍの端部に取り付けられた牽引ロープ１６と海面Ｓに浮かべて設置される調整玉１４とによって、中間部分Ｍが海面Ｓ側に持ち上げられて設置される。また、垂下用ロープ１２は、底玉１７の浮力によって、中間部分Ｍが撓むことなく配置される。飼育用具１８は、垂下用ロープ１２の中間部分Ｍに垂下されて設置される。
【００７８】
次に、図８及び図９を用いて、漁具の昇降装置６について説明する。
本実施形態に係る漁具の昇降装置６は、調整玉１４や底玉１７を浮子として用いて設置される上記のような養殖施設１１を海中で昇降させる装置である。漁具の昇降装置６は、低気圧又は台風の接近（悪天候）の前に、予め、海面Ｓまで垂下用ロープ１２を沈下させて調整玉１４についても海中に沈下させることにより、養殖施設１１への被害を軽減する。また、漁具の昇降装置６は、低気圧又は台風の通過（悪天候の回復）の後、沈下している垂下用ロープ１２を海面Ｓに向けて浮上（上昇）させる。これにより、漁具の昇降装置６は、調整玉１４を海面Ｓに浮上させて、短い期間且つ少ない労力で、養殖を再開できるようにする。
【００７９】
漁具の昇降装置６は、予め養殖場に設置されている養殖施設１１に固定されることにより設置される。或いは、漁具の昇降装置６は、養殖場に設置する前の養殖施設１１に固定されて、養殖施設１１の設置とともに設置される。本実施形態では、漁具の昇降装置６は、１つの養殖施設１１ごとに１つ設置される。また、本実施形態において、漁具の昇降装置６は、養殖施設１１の垂下用ロープ１２に設置される。
【００８０】
漁具の昇降装置６は、第１実施形態に係る漁具の昇降装置６と同様に、ウィンチ６１と、おもり６２と、ロープ６３と、制御装置６５と、電源通信ケーブル６４と、を備える。
ウィンチ６１は、第１実施形態のウィンチ６１と比べ、垂下用ロープ１２に固定されている点で異なる。ウィンチ６１は、垂下用ロープ１２の中間部分Ｍで、底玉１７の近傍に１又は複数固定される。本実施形態では、ウィンチ６１は、所定の間隔を開けて３つ固定される。
おもり６２、ロープ６３、制御装置６５、及び、電源通信ケーブル６４の構成については、電源通信ケーブル６４が垂下用ロープ１２に沿って設けられている以外、第１実施形態と同様である。
【００８１】
以上のような漁具の昇降装置６によれば、ウィンチ６１が垂下用ロープ１２に固定され、おもり６２が海底Ｂに沈設される。これにより、垂下用ロープ１２の中間部分Ｍは、海底Ｂからの距離が、ウィンチ６１から引き出されているロープ６３の引き出し長に依存して設置される。図８に示すように、通常時（天候が良い時）には、ウィンチ６１からロープ６３が引き出されて、調整玉１４が海面Ｓに浮上させられる。また、垂下用ロープ１２の中間部分Ｍは、海面Ｓ側に位置するように調整される。一方で、図９に示すように、悪天候が予想される場合には、ウィンチ６１が動作することにより、ロープ６３の引き出し長が短くされて、調整玉１４が海中に沈下される。また、垂下用ロープ１２の中間部分Ｍは、海底Ｂ側（より深い位置）に位置するように調整される。全てのウィンチ６１が動作することにより、垂下用ロープ１２の中間部分Ｍの全体が海底Ｂ近傍に位置するようになる。
【００８２】
漁具の昇降装置６の動作については、第１実施形態における定置網１（箱網４）に代えて垂下用ロープ１２や、調整玉１４等の養殖施設１１を浮上又は沈下させる点を除き同様である。また、本実施形態に係る漁具の昇降方法については、ウィンチ６１を固定する対象が垂下用ロープ１２である以外は同様である。
【００８３】
以上説明した第２実施形態の漁具の昇降装置６によれば、以下のような効果を奏する。
（１２）漁具の昇降装置６を、養殖施設１１である漁具に固定されるウィンチ６１と、海底Ｂに沈設されるおもり６２と、おもり６２に接続されて張力を作用させた状態でウィンチ６１に巻き回しされるロープ６３と、を含んで構成した。ウィンチ６１を回転させることにより、ロープ６３の引出し長が変更されるので、おもり６２及び養殖施設１１の間の距離を変化させることができる。具体的には、悪天候となる前に、ウィンチ６１を回転させてロープ６３を巻き取ることにより、おもり６２及び養殖施設１１の距離を短くすることで、海面Ｂ側に養殖施設１１を沈下（下降）させることができる。一方、悪天候の後、ウィンチ６１を回転させてロープ６３を引き出すことにより、おもり６２及び養殖施設１１の距離を長くすることで、海面Ｓに向けて漁具を浮上させることができる。ウィンチ６１を回転させるだけで、海面Ｓの状況に応じて養殖施設１１を沈下又は浮上させることができるので、悪天候から養殖施設１１を容易に保護することができる。
【００８４】
以上、本発明の漁具の昇降装置及び昇降方法の好ましい一実施形態につき説明したが、本発明は、上述の実施形態に制限されるものではなく、適宜変更が可能である。
【００８５】
例えば、上記第１実施形態において、ウィンチ６１を定置網１（箱網４）の上端部に固定する形態について説明したが、これに限定されない。例えば、ウィンチ６１を定置網１の任意の位置に固定した上で、ウィンチ６１を動作させることにより、ロープ６３の引き出し長を変更することにしてもよい。また、ウィンチ６１の数を６つとして説明したが、これに限らず、定置網１（箱網４）の全体を沈下及び浮上（上昇）させることができるのであれば、適宜変更することが可能である。
【００８６】
また、上記第１実施形態において、ウィンチ６１を箱網４に取り付ける形態を説明した。これは、箱網４の網の目が細かく、箱網４が被害を受けることによる被害額が非常に大きいことから、箱網４を優先的に保護することを目的とするものである。これに対し、運動場２や垣網３にもウィンチ６１を取り付けて、定置網１の全体を悪天候から保護することができればより好ましい。
【００８７】
また、制御装置６５は、船舶６６に搭載されていることに限定されず、陸地に設けられていてもよい。例えば、制御装置６５と同じ構成及び機能をもち、陸地に設けられている制御装置（図示せず）に対して、電源通信ケーブル６４を常に接続しておくことにより、大容量の電源を供給できるとともに、急激な天候変化に対して早急にウィンチ６１を沈下又は浮上（上昇）させることができる。
【００８８】
また、複数のウィンチ６１，６１，・・・は、１つのウィンチ６１の動作の開始及び完了を１つのサイクルとして、１サイクルがそれぞれのウィンチ６１に順に動作を実施されてもよい。ウィンチ６１の操作時間の短縮の観点から、複数のウィンチ６１，６１，・・・は、同時に動作されるのが好ましい。例えば、ロープ引出長変更工程は、複数のウィンチ６１，６１，・・・の少なくとも２つを同時に動作させてもよい。これにより、定置網１を素早く沈下させることができ、悪天候から漁具を素早く保護することができる。
【００８９】
また、深度設定工程に代えて、ロープ引出長変更工程の前に、ウィンチ６１の動作方向及び動作時間を設定する動作時間設定工程を更に備えてもよい。ロープ引出長変更工程において、制御装置６５は、ウィンチ６１の動作方向及び動作時間に基づいて、ウィンチ６１を回転させる制御信号をウィンチ６１に送信するようにしてもよい。これにより、複雑な設定をすることなく、ウィンチ６１を動作させて、漁具を素早く沈下又は浮上させることができる。
【００９０】
また、定置網１（箱網４）を沈下させる場合には、深度設定工程に代えて、ロープ引出長変更工程において、制御装置６５は、ウィンチ６１に動作を開始させる制御信号を送信してもよい。そして、ロープ引出長変更工程において、制御装置６５は、おもり６２から所定長さ離れた位置でロープ６３上に設けられ、ウィンチ６１の巻取を停止するストッパ６７の位置までウィンチ６１を回転させるようにしてもよい。これにより、素早くウィンチ６１を動作させて、悪天候から定置網１を保護することができる。
【００９１】
また、上記第１実施形態において、定置網１（箱網４）に固定された１又は複数のウィンチ６１のうちの１つを動作させて、定置網１（箱網４）の周方向の一部を浮上又は沈下させるようにしてもよい。これにより、定置網１（箱網４）に捕えられたマグロの幼魚、カメ、エチゼンクラゲ等の、捕獲してはいけない魚や、捕獲したくない魚を定置網１（箱網４）から放流することができる。
【００９２】
また、上記第２実施形態において、海面Ｓに垂下用ロープ１２を浮上させることにより、垂下用ロープ１２からの飼育用具１８の取り外しを容易にすることができる。具体的には、アンカ１３から垂下用ロープ１２を自由にした上で、ウィンチ６１を動作させて、ロープ６３の引き出し長を長くすることにより、垂下用ロープ１２を海面Ｓに浮上させることができる。
【符号の説明】
【００９３】
１  定置網
６  漁具の昇降装置
６１  ウィンチ
６２  おもり
６３  ロープ
６４  電源通信ケーブル
６７  ストッパ
６９  浮子
Ｓ  海面
Ｂ  海底
【図１】
2018076133.tif 000003
【図２】
2018076133.tif 000004
【図３】
2018076133.tif 000005
【図４】
2018076133.tif 000006
【図５】
2018076133.tif 000007
【図６】
2018076133.tif 000008
【図７】
2018076133.tif 000009
【図８】
2018076133.tif 000010
【図９】
2018076133.tif 000011